(57)【要約】【課題】所定のフレーズに応じて音量を調節することができる電子機器および制御方法を提供すること。【解決手段】携帯電話装置１は、所定のフレーズが予め格納されているメモリ４４を備え、複数の外部機器から送信されてきた音声信号をメインアンテナ４０により受信し、受信された音声信号を音声処理部４３により分離し、分離された音声信号をＣＰＵ４５によりそれぞれ解析し、解析された結果に基づいて、分離された音声信号の中に所定のフレーズが含まれるか否かをＣＰＵ４５により判定し、分離された音声信号の音量をＣＰＵ４５により判定結果に基づいてそれぞれ独立に調節する。【選択図】図３
2009182730.tif 000002
【特許請求の範囲】
【請求項１】
外部機器から送信されてきた音声信号を受信する受信手段と、
前記受信手段により受信された前記音声信号を解析する解析手段と、
所定のフレーズが予め格納されている格納手段と、
前記解析手段により解析された結果に基づいて、前記受信手段により受信された前記音声信号の中に前記所定のフレーズが含まれるか否かを判定する判定手段と、
前記音声信号の音量を前記判定手段の判定結果に基づいて調節する調節手段とを備えることを特徴とする電子機器。
【請求項２】
前記調節手段は、前記所定のフレーズが含まれる場合に、前記音声信号の音量を大きく調節することを特徴とする請求項１に記載の電子機器。
【請求項３】
画像を表示する表示手段をさらに備え、
前記受信手段は、前記外部機器から送信されてきた音声信号とともに映像信号を受信し、
前記調節手段は、前記音声信号の音量とともに、当該音量に応じて前記音声信号とともに受信される映像信号に基づく画像の前記表示手段への表示を調節することを特徴とする請求項１又は２に記載の電子機器。
【請求項４】
前記調節手段は、前記音声信号の音量が大きくなったときに、前記画像が前記表示手段に表示される大きさを大きく調節することを特徴とする請求項３に記載の電子機器。
【請求項５】
音声信号を入力する入力手段をさらに備え、
前記解析手段は、前記入力手段により入力された入力音声信号を解析し、
前記判定手段は、前記解析手段により解析された結果に基づいて、前記入力音声信号に前記所定のフレーズが含まれるか否かを判定し、
前記調節手段は、前記所定のフレーズにより識別される外部機器から送信された音声信号の音量を前記判定手段の判定結果に基づいて調節することを特徴とする請求項１に記載の電子機器。
【請求項６】
前記調節手段は、前記所定のフレーズが含まれている場合に、前記音声信号の音量を大きく調節することを特徴とする請求項５に記載の電子機器。
【請求項７】
画像を表示する表示手段をさらに備え、
前記受信手段は、前記外部機器から送信されてきた音声信号とともに映像信号を受信し、
前記調節手段は、前記所定のフレーズにより識別される外部機器から送信された音声信号の音量とともに、当該音量に応じて前記音声信号とともに受信される映像信号に基づく画像の前記表示手段への表示を調節することを特徴とする請求項６に記載の電子機器。
【請求項８】
前記調節手段は、前記音声信号の音量が大きくなったときに、前記画像が前記表示手段に表示される大きさを大きく調節することを特徴とする請求項７に記載の電子機器。
【請求項９】
外部機器から送信されてきた音声信号を受信する受信ステップと、
前記受信ステップにより受信された前記音声信号を解析する解析ステップと、
前記解析ステップにより解析された結果に基づいて、前記受信ステップにより受信された前記音声信号の中に所定のフレーズが含まれるか否かを判定する判定ステップと、
前記音声信号の音量を前記判定ステップの判定結果に基づいて調節する調節ステップとを備えることを特徴とする電子機器の制御方法。
【請求項１０】
音声信号を入力する入力ステップと、
前記入力ステップにより入力された入力音声信号を解析する解析ステップと、
前記解析ステップにより解析された結果に基づいて、前記入力音声信号の中に所定のフレーズが含まれるか否かを判定する判定ステップと、
前記所定のフレーズにより識別される外部機器から送信された音声信号の音量を前記判定ステップの判定結果に基づいて調節する調節ステップとを備えることを特徴とする電子機器の制御方法。
【請求項１１】
音声信号を入力する入力ステップと、
前記入力ステップにより入力された入力音声信号を解析する解析ステップと、
前記解析ステップにより解析された結果に基づいて、前記入力音声信号に所定のフレーズが含まれるか否かを判定する判定ステップと、
前記所定のフレーズにより識別される外部機器から送信された音声信号の音量を前記判定ステップの判定結果に基づいて調節する調節ステップとを備えることを特徴とする電子機器の制御方法。
【請求項１２】
前記調節ステップは、前記所定のフレーズが含まれている場合に、前記音声信号の音量を大きく調節することを特徴とする請求項１１に記載の電子機器の制御方法。
【請求項１３】
前記外部機器から送信されてきた音声信号とともに、映像信号を受信する受信ステップをさらに備え、
前記調節ステップは、前記所定のフレーズにより識別される外部機器から送信された音声信号の音量とともに、当該音量に応じて前記音声信号とともに受信される映像信号に基づく画像が表示手段への表示を調節することを特徴とする請求項１２に記載の電子機器の制御方法。
【請求項１４】
前記調節ステップは、前記音声信号の音量が大きくなったときに、前記画像が前記表示手段に表示される大きさを大きく調節することを特徴とする請求項１３に記載の電子機器の制御方法。
【請求項１５】
外部機器から送信されてきた音声信号を受信する受信手段と、
所定のフレーズが予め格納されている格納手段と、
音声信号を入力する入力手段と、
前記入力手段により入力された入力音声信号を解析する入力音声信号解析手段と、
前記入力音声信号解析手段により解析された結果に基づいて、前記入力音声信号に前記所定のフレーズが含まれるか否かを判定する入力音声信号判定手段と、
前記所定のフレーズにより識別される外部機器から送信された音声信号の音量を前記入力音声信号判定手段の判定結果に基づいて調節する音声信号調節手段とを備えることを特徴とする電子機器。
【請求項１６】
前記音声信号調節手段は、前記所定のフレーズが含まれている場合に、前記音声信号の音量を大きく調節することを特徴とする請求項１５に記載の電子機器。
【請求項１７】
画像を表示する表示手段をさらに備え、
前記受信手段は、前記外部機器から送信されてきた音声信号とともに映像信号を受信し、
前記音声信号調節手段は、前記所定のフレーズにより識別される外部機器から送信された音声信号の音量とともに、当該音量に応じて前記音声信号とともに受信される映像信号に基づく画像の前記表示手段への表示を調節することを特徴とする請求項１６に記載の電子機器。
【請求項１８】
前記音声信号調節手段は、前記音声信号の音量が大きくなったときに、前記画像が前記表示手段に表示される大きさを大きく調節することを特徴とする請求項１７に記載の電子機器。
【発明の詳細な説明】
【技術分野】
【０００１】
本発明は、電子機器および制御方法に関する。
【背景技術】
【０００２】
従来、複数の電子機器を接続して映像や音声を送受信するテレビ電話に関する技術分野において、多地点の電子機器を接続して通信を行う多地点接続のテレビ電話に関する技術が提案されている（例えば、特許文献１および特許文献２を参照）。
【特許文献１】特開２００７−１２４４９２号公報
【特許文献２】特開２００７−１５０８７７号公報
【発明の開示】
【発明が解決しようとする課題】
【０００３】
しかしながら、従来の多地点接続のテレビ電話では、複数の接続先がそれぞれ個別に発言した場合、いずれの接続先からの音声も、全て同じ音量でスピーカから発せられるため、ユーザが聞きたい相手の音声が好適に聞き取れないという問題がある。特に、多数の接続先と通話を行う場合は、ユーザが聞きたい相手の音声を聞き取ることが非常に困難になる。
【０００４】
そこで、本発明は、上述した課題を解決するために、所定のフレーズに応じて音量を調節することができる電子機器および制御方法を提供する。
【課題を解決するための手段】
【０００５】
本発明に係る電子機器は、上述の課題を解決するために、外部機器から送信されてきた音声信号を受信する受信手段と、前記受信手段により受信された前記音声信号を解析する解析手段と、所定のフレーズが予め格納されている格納手段と、前記解析手段により解析された結果に基づいて、前記受信手段により受信された前記音声信号の中に前記所定のフレーズが含まれるか否かを判定する判定手段と、前記音声信号の音量を前記判定手段の判定結果に基づいて調節手段とを備えることを特徴とする。
【０００６】
また、前記電子機器では、前記調節手段は、前記所定のフレーズが含まれる場合に、前記音声信号の音量を大きく調節することが好ましい。
【０００７】
また、前記電子機器では、画像を表示する表示手段をさらに備え、前記受信手段は、前記外部機器から送信されてきた音声信号とともに映像信号を受信し、前記調節手段は、前記音声信号の音量とともに、当該音量に応じて前記音声信号とともに受信される映像信号に基づく画像の前記表示手段への表示を調節することが好ましい。
【０００８】
また、前記電子機器では、前記調節手段は、前記音声信号の音量が大きくなったときに、前記画像が前記表示手段に表示される大きさを大きく調節することが好ましい。
【０００９】
また、前記電子機器では、音声信号を入力する入力手段をさらに備え、前記解析手段は、前記入力手段により入力された入力音声信号を解析し、前記判定手段は、前記解析手段により解析された結果に基づいて、前記入力音声信号に前記所定のフレーズが含まれるか否かを判定し、前記調節手段は、前記所定のフレーズにより識別される外部機器から送信された音声信号の音量を前記判定手段の判定結果に基づいて調節することが好ましい。
【００１０】
また、前記電子機器では、前記調節手段は、前記所定のフレーズが含まれている場合に、前記音声信号の音量を大きく調節することが好ましい。
【００１１】
また、前記電子機器では、画像を表示する表示手段をさらに備え、前記受信手段は、前記外部機器から送信されてきた音声信号とともに映像信号を受信し、前記調節手段は、前記所定のフレーズにより識別される外部機器から送信された音声信号の音量とともに、当該音量に応じて前記音声信号とともに受信される映像信号に基づく画像の前記表示手段への表示を調節することが好ましい。
【００１２】
また、前記電子機器では、前記調節手段は、前記音声信号の音量が大きくなったときに、前記画像が前記表示手段に表示される大きさを大きく調節することが好ましい。
【００１３】
本発明に係る電子機器の制御方法は、上述の課題を解決するために、外部機器から送信されてきた音声信号を受信する受信ステップと、前記受信ステップにより受信された前記音声信号を解析する解析ステップと、前記解析ステップにより解析された結果に基づいて、前記受信ステップにより受信された前記音声信号の中に所定のフレーズが含まれるか否かを判定する判定ステップと、前記音声信号の音量を前記判定ステップの判定結果に基づいて調節する調節ステップとを備えることを特徴とする。
【００１４】
本発明に係る電子機器の制御方法は、上述の課題を解決するために、音声信号を入力する入力ステップと、前記入力ステップにより入力された入力音声信号を解析する解析ステップと、前記解析ステップにより解析された結果に基づいて、前記入力音声信号の中に所定のフレーズが含まれるか否かを判定する判定ステップと、前記所定のフレーズにより識別される外部機器から送信された音声信号の音量を前記判定ステップの判定結果に基づいて調節する調節ステップとを備えることを特徴とする。
【００１５】
本発明に係る電子機器の制御方法は、上述の課題を解決するために、音声信号を入力する入力ステップと、前記入力ステップにより入力された入力音声信号を解析する解析ステップと、前記解析ステップにより解析された結果に基づいて、前記入力音声信号に所定のフレーズが含まれるか否かを判定する判定ステップと、前記所定のフレーズにより識別される外部機器から送信された音声信号の音量を前記判定ステップの判定結果に基づいて調節する調節ステップとを備えることを特徴とする。
【００１６】
また、前記電子機器の制御方法では、前記調節ステップは、前記所定のフレーズが含まれている場合に、前記音声信号の音量を大きく調節することが好ましい。
【００１７】
また、前記電子機器の制御方法では、前記外部機器から送信されてきた音声信号とともに、映像信号を受信する受信ステップをさらに備え、
前記調節ステップは、前記所定のフレーズにより識別される外部機器から送信された音声信号の音量とともに、当該音量に応じて前記音声信号とともに受信される映像信号に基づく画像が表示手段への表示を調節することが好ましい。
【００１８】
また、前記電子機器の制御方法では、前記調節ステップは、前記音声信号の音量が大きくなったときに、前記画像が前記表示手段に表示される大きさを大きく調節することが好ましい。
【００１９】
本発明に係る電子機器は、上述の課題を解決するために、外部機器から送信されてきた音声信号を受信する受信手段と、所定のフレーズが予め格納されている格納手段と、音声信号を入力する入力手段と、前記入力手段により入力された入力音声信号を解析する入力音声信号解析手段と、前記入力音声信号解析手段により解析された結果に基づいて、前記入力音声信号に前記所定のフレーズが含まれるか否かを判定する入力音声信号判定手段と、前記所定のフレーズにより識別される外部機器から送信された音声信号の音量を前記入力音声信号判定手段の判定結果に基づいて調節する音声信号調節手段とを備えることを特徴とする電子機器。
【００２０】
また、前記電子機器では、前記音声信号調節手段は、前記所定のフレーズが含まれている場合に、前記音声信号の音量を大きく調節することを特徴とすることが好ましい。
【００２１】
また、前記電子機器では、画像を表示する表示手段をさらに備え、前記受信手段は、前記外部機器から送信されてきた音声信号とともに映像信号を受信し、前記音声信号調節手段は、前記所定のフレーズにより識別される外部機器から送信された音声信号の音量とともに、当該音量に応じて前記音声信号とともに受信される映像信号に基づく画像の前記表示手段への表示を調節することを特徴とすることが好ましい。
【００２２】
また、前記電子機器では、前記音声信号調節手段は、前記音声信号の音量が大きくなったときに、前記画像が前記表示手段に表示される大きさを大きく調節することを特徴とすることが好ましい。
【発明の効果】
【００２３】
本発明によれば、所定のフレーズに応じて音量を調節することができる電子機器および制御方法を提供する。
【発明を実施するための最良の形態】
【００２４】
以下、本発明の実施の形態について説明する。図１は、本発明に係る電子機器の一例である携帯電話装置１の外観斜視図を示す。なお、以下では、本発明に係る電子機器の一例として、携帯電話装置について説明するが、本発明はこれに限定されるものではなく、例えば、ＰＨＳ（Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、ノートパソコン等であっても良い。
【００２５】
携帯電話装置１は、操作部側筐体部２と、表示部側筐体部３と、を備えて構成される。操作部側筐体部２は、表面部１０に、操作キー群１１と、携帯電話装置１の使用者が通話時に発した音声が入力されるマイク１２と、を備えて構成される。操作キー群１１は、各種設定や電話帳機能やメール機能等の各種機能を動作させるための機能設定操作ボタン１３と、電話番号の数字やメール等の文字等を入力するための入力操作ボタン１４と、各種操作における決定やスクロール等を行う決定操作ボタン１５と、から構成されている。
【００２６】
また、表示部側筐体部３は、表面部２０に、各種情報を表示するためのＬＣＤ表示部２１と、通話の相手側の音声を出力する音声出力部２２と、被写体を撮像するＣＣＤ（Ｃｈａｒｇｅ  Ｃｏｕｐｌｅｄ  Ｄｅｖｉｃｅ）カメラ等により構成される撮像部２３と、音楽等を外部に出力するスピーカ２４と、を備えて構成されている。
【００２７】
また、撮像部２３は、撮像方向が表面部２０の表示面と垂直の方向になっているので、この携帯電話装置１を保持して操作する者がＬＣＤ表示部２１を正面から見たときに、撮像方向がその者の顔が位置する方向に向くようになっている。なお、撮像部２３は、表示部側筐体部３に設ける代わりに、操作部側筐体部２の表面部１０に設けるようにしても良く、このような場合にも撮像部２３の撮像方向は、この携帯電話装置１を保持して操作する者の顔が位置する方向に向くようしても良い。なお、撮像部２３の撮像方向は特に限定するものではなく、内向き、外向き等の任意の方向を向くものとすることができる。
【００２８】
また、操作部側筐体部２の上端部と表示部側筐体部３の下端部とは、ヒンジ機構４を介して連結されている。また、携帯電話装置１は、ヒンジ機構４を介して連結された操作部側筐体部２と表示部側筐体部３とを相対的に回転することにより、操作部側筐体部２と表示部側筐体部３とが互いに開いた状態（開放状態）にしたり、操作部側筐体部２と表示部側筐体部３とが折り畳まれた状態（折畳み状態）にしたりできる。
【００２９】
なお、図１は、いわゆる折り畳み型の携帯電話装置の形態を示しているが、本発明に係る携帯電話装置の形態としては特にこれに限られず、操作部側筐体部２と表示部側筐体部３とを重ね合わせた状態から一方の筐体を一方向にスライドさせるようにしたスライド式や、操作部側筐体部２と表示部側筐体部３との重ね合せ方向に沿う軸線を中心に一方の筐体を回転させるようにした回転式（ターンタイプ）や、操作部側筐体部２と表示部側筐体部３とが一つの筐体に配置され連結部を有さない型式（ストレートタイプ）等であっても良い。
【００３０】
ここで、携帯電話装置１は、図２に示すように、基地局１００を介して、通信制御用サーバ１０１に接続され、映像情報や音声情報を送受信してテレビ電話での通信を行う機能を有している。
【００３１】
通信制御用サーバ１０１は、例えば、各携帯電話装置から送信された映像情報や音声情報を受信して、所定の処理を行った後、処理後の情報を各携帯電話装置へ送信する。
【００３２】
次に、図３は、携帯電話装置１の機能を示す機能ブロック図である。携帯電話装置１は、図３に示すように、操作キー群１１と、マイク１２と、撮像部２３と、メインアンテナ４０と、ＲＦ回路部４１と、ＬＣＤ制御部４２と、音声処理部４３と、メモリ４４と、ＣＰＵ４５と、電源部４６と、制御ＩＣ４７と、が操作部側に備えられ、ＬＣＤ表示部２１と、スピーカ２４と、ドライバＩＣ２５と、が表示部側に備えられている。
【００３３】
撮像部２３は、図示しないカメラ部を含んで構成される。カメラ部は、レンズ部と、撮像素子と、を有する。レンズ部を介して撮像素子に撮像された撮像画像は、ＣＰＵ４５に出力される。
【００３４】
メインアンテナ４０は、所定の使用周波数帯（例えば、８００ＭＨｚ）で外部装置と通信を行う。なお、本実施の形態では、所定の使用周波数帯として、８００ＭＨｚとしたが、これ以外の周波数帯であっても良い。また、メインアンテナ４０は、所定の使用周波数帯の他に、他の使用周波数帯（例えば、２ＧＨｚ）に対応できる、いわゆるデュアルバンド対応型による構成であっても良い。
【００３５】
ＲＦ回路部４１は、メインアンテナ４０によって受信した信号を復調処理し、処理後の信号をＣＰＵ４５に供給し、また、音声処理部４３から供給された信号を変調処理し、メインアンテナ４０を介して外部装置（基地局）に送信する。
【００３６】
ＬＣＤ制御部４２は、ＣＰＵ４５の制御にしたがって、入力された画像データに対して所定の画像処理を行うとともに、画像処理された画像データをドライバＩＣ２５に出力する。ドライバＩＣ２５は、ＬＣＤ制御部４２から入力された画像データをフレームメモリに蓄えるとともに、該フレームメモリに蓄えられた画像データを所定のタイミングでＬＣＤ表示部２１に出力する。ＬＣＤ表示部２１は、ドライバＩＣ２５から入力された画像データに基づいて、所定の画像を表示する。ここで、ＬＣＤ制御部４２は、ＣＰＵ４５の制御にしたがって、撮像時において撮像部２３を介して連続的に取得される撮像画像のデータをドライバＩＣ２５に出力することができる。これにより、撮像時において、ＬＣＤ表示部２１には撮像部２３を介して被写体の画像が連続的に表示される。
【００３７】
音声処理部４３では、ＣＰＵ４５の制御にしたがって、マイク１２から入力された信号を符号化し、各携帯電話装置を識別する識別情報（例えば、ＩＰアドレス、ＭＡＣアドレス等）を付加してパケットとしてＲＦ回路部４１に出力する。また、音声処理部４３は、ＣＰＵ４５の制御にしたがって、ＲＦ回路部４１から供給された信号を復号化し、復号化後の信号をスピーカ２４に出力する。スピーカ２４は、音声処理部４３から供給された信号を外部に出力する。
【００３８】
メモリ４４は、所定のデータが格納されている。具体的には、メモリ４４には、各種機能プログラムや通信時に利用されるアドレス情報等のほか、後述する所定のフレーズや所定のフレーズに応じた携帯電話装置を識別するための識別情報等が記憶される。
【００３９】
ＣＰＵ４５は、携帯電話装置１の全体を制御する。ＣＰＵ４５は、特に、および撮像部２３、ＲＦ回路部４１、ＬＣＤ制御部４２、音声処理部４３に対して所定の制御を行う。
【００４０】
電源部４６は、図示しないバッテリを有して構成される。バッテリは、所定容量を有するリチウムイオン電池である。制御ＩＣ４７は、電源部４６から供給される電源電圧を所定の電源電圧に変換し、変換後の電源電圧を携帯電話装置１における各部（例えば、ＣＰＵ４５等）に供給する。
【００４１】
ここで、携帯電話装置１が外部機器から音声信号を受信した際のＣＰＵ４５と、音声処理部４３の処理の流れについて図４のフローチャートを用いて説明する。
【００４２】
ステップＳ１では、メインアンテナ４０は、基地局を介して各外部機器から送信されてきた音声信号を受信する。
【００４３】
ステップＳ２では、音声処理部４３は、受信した音声信号の復号化処理を行った後、送信元ごとに分離する。
【００４４】
ステップＳ３では、ＣＰＵ４５は、ステップＳ３で分離した音声信号の波形を解析する。
【００４５】
ステップＳ４では、ＣＰＵ４５は、ステップＳ３で解析した音声信号の波形が、メモリ４４に格納された所定のフレーズの信号波形と一致するか否かを判定する。ステップＳ３で解析した音声信号の波形が、メモリ４４に格納された所定のフレーズの信号波形と一致する場合（Ｙｅｓ）には、ステップＳ５へ移る。一方、ステップＳ３で解析した音声信号の波形が、メモリ４４に格納された所定のフレーズの信号波形と一致しない場合（Ｎｏ）には、ステップＳ６へ移る。
【００４６】
ステップＳ５では、ＣＰＵ４５は、所定のフレーズが含まれる音声信号の音量を調節するように音声処理部４３を制御する。
【００４７】
ステップＳ６では、スピーカ２４は、ステップＳ２で分離された音声信号を、音声処理部４３により外部機器ごとに制御された音量で出力する。
【００４８】
このようにして、ＣＰＵ４５は、受信した音声信号に所定のフレーズが含まれる場合、所定のフレーズに応じた外部機器から送信された音声を出力する際の音量を調節することで、ユーザは会話したい相手からの音声を好適に聞き取ることができるため、多接続のテレビ電話においても個別に話をしたい相手との会話をスムーズに行うことができる。また、テレビ電話での通話時に、注意していない相手が重要な発言を行った場合には、この相手から送信される音声を聞き逃すことを防止できる。
【００４９】
次に、ユーザが携帯電話装置１に対して音声信号を入力した際のＣＰＵ４５と、音声処理部４３の処理の流れについて図５のフローチャートを用いて説明する。
【００５０】
ステップＳ１１では、マイク１２によりユーザが発した音声を入力する。
【００５１】
ステップＳ１２では、ＣＰＵ４５は、ステップＳ１１で入力された音声信号の波形を解析する。
【００５２】
ステップＳ１３では、ＣＰＵ４５は、ステップＳ１２で解析された音声信号の波形が、メモリ４４に格納された所定のフレーズの信号波形と一致するか否かを判定する。ステップＳ１２で解析した音声信号の波形が、メモリ４４に格納された所定のフレーズの信号波形と一致する場合（Ｙｅｓ）には、ステップＳ１４へ移る。一方、ステップＳ１２で解析した音声信号の波形が、メモリ４４に格納された所定のフレーズの信号波形と一致しない場合（Ｎｏ）には、ステップＳ１５へ移る。
【００５３】
ステップＳ１４では、ＣＰＵ４５は、所定のフレーズにより識別される外部機器から送信された音声信号の音量を調節するように音声処理部４３を制御する。
【００５４】
ステップＳ１５では、スピーカ２４は、外部機器から送信された音声信号を、音声処理部４３により外部機器ごとに制御された音量で出力する。
【００５５】
このようにして、ＣＰＵ４５は、ユーザにより発せられた音声に所定のフレーズが含まれる場合、所定のフレーズに応じた外部機器から送信された音声を出力する際の音量を調節することで、ユーザは会話したい相手からの音声を好適に聞き取ることができるため、多接続のテレビ電話においても個別に話をしたい相手との会話をスムーズに行うことができる。
【００５６】
また、上述の本実施形態では、携帯電話装置１の音量調節のみを行ったが、音量を調節するとともに、音量を調節した携帯電話装置から送信された画像が、ＬＣＤ表示部２１に表示される際、音量の大きさに応じて画像の大きさが変更されてもよい。これにより、会話したい相手からの音声だけでなく、画像の大きさも調節されるため、テレビ電話での通信をさらに好適に行うことができる。
【００５７】
次に、本発明に係る携帯電話装置１を用いた多接続のテレビ電話での音量調節の概要を、図６を参照しながら説明する。
【００５８】
図６では、それぞれの端末が携帯電話装置１であるＡ端末、Ｂ端末、Ｃ端末、Ｄ端末およびＥ端末が、基地局を介して接続され、テレビ電話で通信を行っている。なお、図６に示されている各音量メータは、音量の設定状態の概念を示す図である。
【００５９】
図６Ａでは、各端末の音量設定は、Ａ端末は、Ｅ端末から送信される音声信号の音量を上げている。また、Ｂ端末は、Ｄ端末から送信される音声信号の音量を上げている。また、Ｃ端末は、全員（Ａ端末、Ｂ端末、Ｄ端末およびＥ端末）から送信される音声信号の音量を同じ音量に設定している。また、Ｄ端末は、Ｂ端末から送信される音声信号の音量を上げている。また、Ｅ端末は、Ａ端末から送信される音声信号の音量を上げている。
【００６０】
各端末に応じた所定のフレーズは、Ａ端末は「Ａさん」、Ｂ端末は「Ｂさん」、Ｃ端末は「Ｃさん」、Ｄ端末は「Ｄさん」、Ｅ端末は「Ｅさん」、また全員共通の所定のフレーズは、「皆さん」と設定され、各端末のメモリ４４に、所定のフレーズに応じた端末を識別する識別情報とともに格納されている。
【００６１】
ここで、Ａ端末でユーザが「Ｂさん」と呼びかけた場合の各端末における音量設定の変動を、図６Ｂを参照しながら説明する。
【００６２】
Ａ端末では、ユーザが発した「Ｂさん」の音声に応じて、ＣＰＵ４５によりＢ端末から送信される音声信号の音量が上がるように調節される。また、Ｂ端末では、「Ｂさん」の音声信号を受信することに応じて、ＣＰＵ４５により「Ｂさん」の音声の送信元であるＡ端末から送信される音声信号の音量が上がるように調節される。
【００６３】
また、Ｃ端末、Ｄ端末およびＥ端末では、音量設定の変動はなく、Ｃ端末は、全員（Ａ端末、Ｂ端末、Ｄ端末およびＥ端末）から送信される音声信号の音量を同じ音量に設定が維持される。また、Ｄ端末は、Ｂ端末から送信される音声信号の音量を上げている状態が維持される。また、Ｅ端末は、Ａ端末から送信される音声信号の音量を上げている状態が維持される。
【００６４】
このようにして、Ａ端末でユーザが「Ｂさん」と呼び掛けたことに応じてＡ端末およびＢ端末は、それぞれの端末が有するＣＰＵ４５により互いの端末から送信される音声を出力する際の音量が上がるように設定されることで、Ａ端末およびＢ端末のユーザは、互いの端末から送信された音声を好適に聞き取ることができる。
【００６５】
次に、Ａ端末でユーザが「皆さん」と呼びかけた場合の各端末における音量設定の変動を、図６Ｃを参照しながら説明する。
【００６６】
Ａ端末では、ユーザが発した「皆さん」の音声に応じて、ＣＰＵ４５によりＢ端末、Ｃ端末およびＤ端末から送信される音声信号の音量が上がるように調節される。また、Ｂ端末、Ｃ端末およびＤ端末では、「皆さん」の音声信号を受信することに応じて、ＣＰＵ４５は、「皆さん」の音声の送信元であるＡ端末から送信される音声信号の音量が上がるように調節される。また、Ｅ端末では、音量設定の変動はなく、Ａ端末から送信される音声信号の音量を上げている状態が維持される。
【００６７】
このようにして、Ａ端末でユーザが「皆さん」と呼び掛けたことに応じて、Ａ端末では、ＣＰＵ４５によりＢ端末、Ｃ端末およびＤ端末から送信される音声を出力する際の音量が上がるように調節される。また、Ｂ端末、Ｃ端末およびＤ端末は、ＣＰＵ４５によりＡ端末から送信される音声を出力する際の音量が上がるように調節される。したがって、Ａ端末のユーザは、Ｂ端末、Ｃ端末およびＤ端末から送信される音声を好適に聞き取ることができ、Ｂ端末、Ｃ端末およびＤ端末のユーザは、Ａ端末から送信される音声を好適に聞き取ることができる。
【００６８】
なお、上述の実施形態では、所定のフレーズは、予めメモリ４４に格納されていたがこれに限られない。例えば、ユーザにより操作キー群１１やマイク１２などを用いて１又は複数のフレーズを入力し、入力されたフレーズをＣＰＵ４５により所定のフレーズとして任意に設定して、１又は複数の所定のフレーズをメモリ４４に格納してもよい。これにより、１又は複数の所定のフレーズを、ユーザ自身が任意に設定することができる。
【００６９】
また、所定のフレーズは、上述の実施形態で示した『Ｂさん』のようなテレビ電話で通信行っている個人を特定するフレーズや、『皆さん』のようなテレビ電話で通信行っている全員を特定するフレーズに限られない。例えば、テレビ電話で通信行っている特定のユーザ群（グループ）を特定するフレーズ（例えば、『△△チーム』や『○○グループ』など）を設定することも可能である。これにより、ユーザは、テレビ電話で通信行っている特定のユーザ群（グループ）から送信された音声を好適に聞き取ることができる。
【００７０】
また、所定のフレーズを複数集めたフレーズ集を、テレビ電話で通信を行っている、一の携帯電話装置の記憶部に格納し、このフレーズ集をテレビ電話で通信を行っている他の携帯電話装置へ通信回線を介して送信（配布）して、フレーズ集をテレビ電話で通信を行っているユーザ全員の携帯電話装置で共有することも可能である。また、フレーズ集を外部サーバの記憶部に格納し、このフレーズ集をテレビ電話で通信を行っているユーザ全員の携帯電話装置へ通信回線を介して送信（配布）してもよい。これにより、所定のフレーズを複数集めたフレーズ集を、テレビ電話で通信を行っているユーザ全員が使用することができる。
【００７１】
また、上述の実施形態では、所定のフレーズに応じた送信元からの音声信号の音量を大きくしたが、これに限られない。例えば、操作キー群１１の操作キーの特定操作と、所定のフレーズとを組み合わせることで、所定のフレーズに応じた送信元からの音声信号の音量を、小さくするように制御を行ってもよい。
【００７２】
なお、上述の実施形態では、ＣＰＵ４５は、所定のフレーズを受信したことにより携帯電話装置１の音量を変更したがこれに限られない。例えば、操作キー群１１の各キーにそれぞれの外部機器の識別情報が割り当てられ、ユーザは、会話したい相手の端末が割り当てられたキーを押圧することで、会話したい相手の端末から送信された音声を出力する際の音量を、ＣＰＵ４５により調節してもよい。これにより、操作キー群１１を操作することで相手の端末から送信された音声を出力する際の音量を変更することができる。
【００７３】
また、所定のフレーズおよび所定のフレーズに応じた各外部機器を識別する識別情報は、各携帯電話装置のメモリ４４に格納されていたが、これに限られない。例えば、あるユーザが設定した、所定のフレーズおよび所定のフレーズに応じた各外部機器を識別する識別情報が、サーバに格納され、所定のフレーズおよび識別情報を他のユーザと共有できるような構成でもよい。
【００７４】
また、本実施形態では、携帯電話装置１での制御により音量調節を行ったがこれに限らず、例えば、サーバの制御により各携帯電話装置の音量調節を行ってもよい。これにより、サーバの制御のみで各携帯電話装置の音量調節を行うことができる。
【００７５】
以上、本発明の実施形態について説明したが、本発明は上述した実施形態に限るものではない。また、本発明の実施形態に記載された効果は、本発明から生じる最も好適な効果を列挙したに過ぎず、本発明による効果は、本発明の実施形態に記載されたものに限定されるものではない。
【図面の簡単な説明】
【００７６】
【図１】本発明に係る携帯電話装置を開いた状態における正面斜視図である。
【図２】本発明に係る携帯電話装置を用いた多接続のテレビ電話で通信を行う際の機能を示すブロック図である。
【図３】本発明に係る携帯電話装置の機能を示すブロック図である。
【図４】本発明に係る携帯電話装置の処理の流れを示すフローチャートである。
【図５】本発明に係る携帯電話装置の処理の流れを示すフローチャートである。
【図６Ａ】本発明に係る携帯電話装置を用いた多接続のテレビ電話での音量調節の概要を示した図である。
【図６Ｂ】本発明に係る携帯電話装置を用いた多接続のテレビ電話での音量調節の概要を示した図である。
【図６Ｃ】本発明に係る携帯電話装置を用いた多接続のテレビ電話での音量調節の概要を示した図である。
【符号の説明】
【００７７】
１      携帯電話装置
２      操作部側筐体
３      表示部側筐体
１２      マイク
２１      ＬＣＤ表示部
２３      撮像部
２４      スピーカ
４３      音声処理部
４４      メモリ
４５      ＣＰＵ
【図１】
2009182730.tif 000003
【図２】
2009182730.tif 000004
【図３】
2009182730.tif 000005
【図４】
2009182730.tif 000006
【図５】
2009182730.tif 000007
【図６Ａ】
2009182730.tif 000008
【図６Ｂ】
2009182730.tif 000009
【図６Ｃ】
2009182730.tif 000010